(57)【要約】組み合わせロック（６３０）を有する物理的セキュリティデバイスである。組み合わせロック（６３０）は、セキュリティスロット（６６０）を規定する壁（６５５）を有する携帯可能なデバイス（６５０）と、上端部、下端部および上端部と下端部との間に側面を有する筐体（６０５）とを含む。下端部は、携帯可能なデバイスの壁に設けられたセキュリティスロット（６６０）内に挿入可能なロッキング部材（６１５）に設けられたスロット係合部材（６１０）、および、ロッキング部材（６１５）がセキュリティスロット（６６０）内に入って、筐体（６０５）に力を加えることによって縮んだ位置内への係合部材（６１０）の移動を容易にするとき、セキュリティスロット（６６０）に近接した壁（６５５）の外部と係合するように、ロッキング部材（６１５）と筐体（６０５）との間に配置された保持部材（６２０）を含む。【選択図】図６
2004510232.tif 000002
【特許請求の範囲】
【請求項１】
上端部、下端部、および、該上端部と該下端部との間の側面を有する筐体であって、該下端部は、携帯可能なデバイスの壁に設けられたセキュリティスロット内に挿入可能なロッキング部材に設けられたスロット係合部材を含み、該ロッキング部材は、該セキュリティスロット内に延び、該スロット係合部材は、延びた位置と縮んだ位置との間を該筐体に対して移動可能であり、該係合部材は、該延びた位置へ偏り、該筐体に対して回転可能に固定され、該ロッキング部材は、該係合部材が該延びた位置にあるとき、該ロック位置にあるときに該携帯可能なデバイス内に保持されて、該非ロック位置にあるときに該携帯可能なデバイス内から解放可能な該ロッキング部材と該係合部材との移動によって、非ロック位置とロック位置との間を移動可能である、筐体と、
該スロット係合部材が該縮んだ位置にあり、および、該ロッキング部材が該ロック位置にあることにより、該ロッキング部材の該非ロック位置への移動を抑制するときに該セキュリティスロットと共合するために該筐体から延びるピンと、
該縮んだ位置に該係合部材を保持する保持機構と
を含む、ロッキング装置。
【請求項２】
前記係合部材は、前記ロッキング部材と前記筐体との間に置かれた保持部材であって、該ロッキング部材が該セキュリティスロット内に入って、該筐体に対して力を加えることによって前記縮んだ位置内への該係合部材の移動を容易にするとき、該セキュリティスロットに近接する壁の外部を係合する、保持部材を含む、請求項１に記載のロッキング装置。
【請求項３】
前記保持機構は、組み合わせロックを含む、請求項１に記載のロッキング装置。
【請求項４】
前記筐体に結合されたケーブル連結機構であって、ケーブルを該筐体に固定するケーブル連結機構をさらに含む、請求項１に記載のロッキング装置。
【請求項５】
第１のオブジェクトの制限距離内に携帯可能なオブジェクトの動作を制限する物理的セキュリティシステムであって、該携帯可能なオブジェクトは、セキュリティスロットを規定する壁を含み、該物理的セキュリティシステムは、
上端部、下端部、該上端部と該下端部との間の側面を有する筐体であって、該下端部は、携帯可能なデバイスの壁に設けられたセキュリティスロット内に挿入可能なロッキング部材に設けられたスロット係合部材、および、該ロッキング部材が該セキュリティスロット内に入って、該筐体に力を加えることによって該縮んだ位置内への該係合部材の移動を容易にするときに該セキュリティスロットに近接した該壁の外部と係合するために、該ロッキング部材と該筐体との間に配置された保持部材を含み、該ロッキング部材は、該セキュリティスロット内に延び、該スロット係合部材は、延びた位置と縮んだ位置との間を該筐体に対して移動可能であり、該係合部材は、該延びた位置へ偏り、該筐体に対して回転可能に固定され、該ロッキング部材は、該係合部材が該延びた位置にあるとき、該ロック位置にあるときに該携帯可能なデバイス内に保持されて、該非ロック位置にあるときに該携帯可能なデバイス内から解放可能な該ロッキング部材と該係合部材との移動によって、非ロック位置とロック位置との間を移動可能である、筐体と、
該スロット係合部材が該縮んだ位置にあり、および、該ロッキング部材が該ロック位置にあることにより、該ロッキング部材の該非ロック位置への移動を抑制するときに該セキュリティスロットと共合するために該筐体から延びるピンと、
該縮んだ位置に該係合部材を保持する保持機構と、
ケーブルを該筐体に固定するために、該筐体に結合されたケーブル連結機構であって、該ケーブルは、該第１のオブジェクトに連結可能である、ケーブル連結機構と
を含む、物理的セキュリティシステム。
【請求項６】
セキュリティスロットを規定する壁を有する携帯可能なデバイスと、
上端部、下端部、該上端部と該下端部との間の側面を有する筐体であって、該下端部は、セキュリティスロット内に挿入可能なロッキング部材に設けられたスロット係合部材、および、該ロッキング部材と該筐体との間に配置された保持部材を含み、該筐体は、該ロッキング部材が該セキュリティスロット内に入って、該筐体に力を加えることによって該縮んだ位置内への該係合部材の移動を容易にするとき、該セキュリティスロットに近接した該壁の外部と係合し、該ロッキング部材は、該セキュリティスロット内に延び、該スロット係合部材は、延びた位置と縮んだ位置との間を該筐体に対して移動可能であり、該係合部材は、該延びた位置へ偏り、該筐体に対して回転可能に固定され、該ロッキング部材は、該係合部材が該延びた位置にあるとき、該ロック位置にあるときに該携帯可能なデバイス内に保持されて、該非ロック位置にあるときに該携帯可能なデバイス内から解放可能な該ロッキング部材と該係合部材との移動によって、非ロック位置とロック位置との間を移動可能である、筐体と、
該スロット係合部材が該縮んだ位置にあり、および、該ロッキング部材が該ロック位置にあることにより、該ロッキング部材の該非ロック位置への移動を抑制するときに該セキュリティスロットと共合するために該筐体から延びるピンと、
該縮んだ位置に該係合部材を保持する保持機構と、
ケーブルを該筐体に固定するために、該筐体に結合されたケーブル連結機構であって、該ケーブルは、該携帯可能なオブジェクト以外のオブジェクトに連結可能である、ケーブル連結機構と
を含む、物理的セキュリティシステム。
【請求項７】
ローカライザオブジェクトに対して携帯可能なオブジェクトを固定する方法であって、
該携帯可能なオブジェクトの壁に規定されたセキュリティスロットと筐体から延びる係合部材のロッキング部材とを位置合わせするステップであって、該係合部材は、該筐体に対して延びた位置と縮んだ位置とを有し、該係合部材は、該延びた位置に偏る、位置合わせするステップと、
該ロッキング部材を該セキュリティスロット内に挿入するステップと、
該ロッキング部材が該携帯可能なオブジェクト内にある間に、該セキュリティスロットから該ロッキング部材をずらして位置合わせするステップと、
該係合部材に結合された保持部材と該セキリュティスロットに近接した該壁の一部とを係合して、該筐体を該一部に移動することによって、該縮んだ位置に対して該係合部材を移行するステップと、
該係合部材が該縮んだ位置に移行されているときに、該係合部材および該セキュリティスロットとピンを共合するステップであって、該係合部材が該縮んだ位置にある間に、該セキリュティスロットと該ロッキング部材とを再び位置合わせすることが制限される、共合するステップと、
該筐体から延びるケーブルを該ローカライザオブジェクトに結合することによって、該ローカライザオブジェクトに対して該携帯可能なオブジェクトをローカライズするステップと
を包含する、方法。
【請求項８】
ローカライザオブジェクトに対して携帯可能なオブジェクトを固定する方法であって、
該携帯可能なオブジェクトの壁に規定されたセキュリティスロットと筐体から延びる係合部材のロッキング部材とを位置合わせするステップであって、該係合部材は、該筐体に対して延びた位置と縮んだ位置とを有し、該係合部材は、該延びた位置に偏る、位置合わせするステップと、
該ロッキング部材を該セキュリティスロット内に挿入するステップと、
該ロッキング部材が該携帯可能なオブジェクト内にある間に、該セキュリティスロットから該ロッキング部材をずらして位置合わせするステップと、
該係合部材に結合された保持部材と該セキリュティスロットに近接した該壁の一部とを係合して、該筐体を該一部に移動することによって、該縮んだ位置に対して該係合部材を移行するステップと、
該係合部材が該縮んだ位置に移行されているときに、該係合部材および該セキュリティスロットとピンを共合するステップであって、該係合部材が該縮んだ位置にある間に、該セキリュティスロットと該ロッキング部材とを再び位置合わせすることが制限される、共合するステップと、
該筐体から延びるケーブルを該ローカライザオブジェクトに結合することによって、該ローカライザオブジェクトに対して該携帯可能なオブジェクトをローカライズするステップと
該縮んだ位置に該係合部材を保持する保持機構と、
ケーブルを該筐体に固定するために、該筐体に結合されたケーブル連結機構であって、該ケーブルは、該携帯可能なオブジェクト以外のオブジェクトに連結可能である、ケーブル連結機構と
を包含する、方法。
【請求項９】
第１のオブジェクトの制限距離内に携帯可能なオブジェクトの動作を制限する物理的セキュリティシステムであって、該携帯可能なオブジェクトは、セキュリティスロットを規定する壁を含み、該物理的セキュリティシステムは、
上端部、下端部、該上端部と該下端部との間の側面を有する筐体であって、該下端部は、携帯可能なデバイスの壁に設けられたセキュリティスロット内に挿入可能なロッキング部材に設けられたスロット係合部材、および、該ロッキング部材が該セキュリティスロット内に入って、該筐体に力を加えることによって該縮んだ位置内への該係合部材の移動を容易にするときに該セキュリティスロットに近接した該壁の外部と係合するために、該ロッキング部材と該筐体との間に配置された保持部材を含み、該ロッキング部材は、該セキュリティスロット内に延び、該スロット係合部材は、延びた位置と縮んだ位置との間を該筐体に対して移動可能であり、該係合部材は、該延びた位置へ偏り、該筐体に対して回転可能に固定され、該ロッキング部材は、該係合部材が該延びた位置にあるとき、該ロック位置にあるときに該携帯可能なデバイス内に保持されて、該非ロック位置にあるときに該携帯可能なデバイス内から解放可能な該ロッキング部材と該係合部材との移動によって、非ロック位置とロック位置との間を移動可能である、筐体と、
該スロット係合部材が該縮んだ位置にあり、および、該ロッキング部材が該ロック位置にあり、該ロッキング部材の該非ロック位置への移動の抵抗を支援するときに該セキュリティスロットと共合するために該筐体から延びるピンと、
該縮んだ位置に該係合部材を保持する保持機構と、
ケーブルを該筐体に固定するために、該筐体に結合されたケーブル連結機構であって、該ケーブルは、該第１のオブジェクトに連結可能である、ケーブル連結機構と
を含む、物理的セキュリティシステム。
【発明の詳細な説明】
【０００１】
（発明の背景）
本発明は、概して、比較的小さいが、高価である携帯可能な機器要素の盗難を防ぐ装置に関する。より詳細には、本発明は、所定の大きさを有する特別に設計されたスロットに対するロックインタフェースに関する。より詳細には、本発明は、約３ｍｍ〜約７ｍｍまでの大きさのセキリュティスロットに接続する組み合わせロックを含む物理的セキリュティデバイスに関する。
【０００２】
コンピュータおよび他の電子デバイスは、大きく、高価なマシンから比較的小さく、携帯可能なデバイスへと急速に進化しており、この比較的小さく、携帯可能なデバイスはますます一般的になってきている。ラップトップコンピュータおよびパーソナルデータアシスタント（ＰＤＡ）（併用する使用法も）が急増しているので、これらの携帯可能なデバイスに莫大なリソース（時間および金）が投資されている。さらに、ユーザがこれらの携帯可能なデバイスを持ち運ぶことが簡単であり、これらの携帯可能なデバイス内に組み込まれた計算／処理／格納力が増加しているので、携帯可能なデバイス自身、および、データおよびデバイス内に格納されたアプリケーションに莫大に投資されることとなる。これらの携帯可能なデバイスの盗難に関する問題は、携帯可能なデバイスの価値（データおよび交換費用）が増加するにつれて、直接的に増加している。
【０００３】
携帯可能なデバイスの盗難を防ぐための様々なデバイスが開発されている。物理的セキュリティシステムの初期のタイプは、デスクトップコンピュータシステムの盗難を防いだ。これらのシステムは、典型的に、ＣＰＵを有する筐体、ディスクドライブおよび様々なインタフェース要素、モニタ、キーボード、トラックボール、ならびに、プリンタいくつかのコンポーネントを含む。机のような比較的動くことのできないオブジェクトに対するコンポーネントをローカライズするために一つ以上のケーブルが用いられる。これらのシステムに関連したケーブル自身をコンポーネントに連結する効率的な、および、効果的な機構の対策がこれらに関連する一つの難しさである。
【０００４】
Ｋｅｎｓｉｎｇｔｏｎ　Ｔｅｃｈｎｏｌｏｇｙ　Ｇｒｏｕｐ（Ｋｅｎｓｉｎｇｔｏｎ）（ＡＣＣＯ　Ｂｒａｎｄ、Ｉｎｃ．の一部門、本出願の譲受人）は、ＡＰＰＬＥ（登録商標）コンピュータの初期モデルを用いる初期の物理的セキュリティシステムを開発した。これらのコンピュータは、特別な保持スロットを有するように設計された。このスロットの中には、特別なブラケットが移動不可能に挿入および保持される。ケーブルは、このブラケットに、および、机に連結され得、これにより、コンピュータの盗難を防ぐ。この解決策は、携帯可能なデバイスにとって最適なものではない。携帯可能なデバイスにおいて、携帯可能なデバイスの壁から延びたブラケットに加えることなく、取り外し可能な解決策を有することが好ましい。このような解決策は、この解決策が比較的大きく、特別に強化されたスロットを用いたという点においてさらに望ましくない。携帯可能なデバイスは、ほとんど利用できない内部空間を有することが多い、比較的薄いエラストマー壁を有する。
【０００５】
Ｋｅｎｓｉｎｇｔｏｎ会社のための携帯可能な電子デバイス製造業者（例えば、ラップトップ、および、ＰＤＡ製造業者）と協力するＫｅｎｓｉｎｇｔｏｎは、それらのデバイスの壁内に標準セキュリティスロット開発した。この標準セキュリティスロットは、概して、矩形であり、約３ｍｍ×７ｍｍの大きさを有する。Ｋｅｎｓｉｎｇｔｏｎは、携帯可能デバイスの盗難を防ぐための特別のセキュリティスロットと共同する物理的にセキュリティなデバイスに関連する数多くの特許を申請し、得た。米国特許第５，３２７，７５２号、「Ｃｏｍｐｕｔｅｒ　Ｅｑｕｉｐｍｅｎｔ　Ｌｏｃｋ」、米国特許第５，３８１，６８５号、「Ｃｏｍｐｕｔｅｒ，Ｐｈｙｔｓｉｃａｌ　Ｓｅｃｕｒｉｔｙ　Ｄｅｖｉｃｅ」、米国特許第６，００６，５５７号、「Ｃｏｍｐｕｔｅｒ，Ｐｈｙｔｓｉｃａｌ　Ｓｅｃｕｒｉｔｙ　Ｄｅｖｉｃｅ」、米国特許第６，１１２，５６１号、「Ｓｅｃｕｒｉｔｙ　Ｄｅｖｉｃｅ　ｆｏｒ　ａ　Ｐｏｒｔａｂｌｅ　Ｃｏｍｐｕｔｅｒ」、米国特許第５，７８７，７３９号、「Ｓｅｃｕｒｉｔｙ　Ｈｏｌｅ　Ｆａｓｔｅｎｉｎｇ　Ｄｅｖｉｃｅ」、米国特許第６，０３８，８９１号、「Ｓｅｃｕｒｉｔｙ　Ｈｏｌｅ　Ｆａｓｔｅｎｉｎｇ　Ｄｅｖｉｃｅ」は、全ての目的のために本明細書中で参照として明白に援用され、受け入れ可能な物理的セキュリティシステム、デバイスおよび方法の様々な好ましい実施形態を教示する。キーのあるロッキング解決策は、これらの好ましい実施形態にある。いくつかの応用において、および、いくつかのユーザに対して、キーのある解決策と類似した利点を提供する、キーを必要としないロッキングシステムを提供することが好ましい。
【０００６】
（発明の要旨）
本発明は、携帯可能な電子デバイスの盗難を防ぐ従来技術の問題に対して単純だが、効率的な解決策を提供する。詳細には、本発明は、所定の大きさを有する特別に設計されたスロットに対するロックインタフェース、および、ロックインタフェースから分離してキーを用いる必要がない、特別に設計されたスロットにロッキングインタフェースを提供する方法を開示する。
【０００７】
本発明の好ましい実施形態によると、本発明は、セキュリティスロットを規定する壁を有する携帯可能デバイスと、上端部、下端部、上端部と下端部との間の側面を有する筐体であって、下端部は、携帯可能なデバイスの壁に設けられたセキュリティスロット内に挿入可能なロッキング部材に設けられたスロット係合部材、および、ロッキング部材がセキュリティスロット内に入って、筐体に力を加えることによって縮んだ位置内への係合部材の移動を容易にするときにセキュリティスロットに近接した壁の外部と係合するために、ロッキング部材と筐体との間に配置された保持部材を含み、ロッキング部材は、セキュリティスロット内に延び、スロット係合部材は、延びた位置と縮んだ位置との間を筐体に対して移動可能であり、係合部材は、延びた位置へ偏り、筐体に対して回転可能に固定され、ロッキング部材は、係合部材が延びた位置にあるとき、ロック位置にあるときに携帯可能なデバイス内に保持されて、非ロック位置にあるときに携帯可能なデバイス内から解放可能なロッキング部材と係合部材との移動によって、非ロック位置とロック位置との間を移動可能である、筐体と、スロット係合部材が縮んだ位置にあるとき、および、ロッキング部材がロック位置にあり、ロッキング部材の非ロック位置への移動の抵抗を支援するときにセキュリティスロットと共合するために筐体から延びるピンと、縮んだ位置に係合部材を保持する保持機構と、ケーブルを筐体に固定するために、筐体に結合されたケーブル連結機構であって、ケーブルは、携帯可能なオブジェクトではなくオブジェクトに連結可能である、ケーブル連結機構とを含む物理セキュリティシステムを規定する。
【０００８】
本発明の好ましい別の実施形態は、ローカライザオブジェクトに対して携帯可能なオブジェクトを固定する方法を含む。この方法は、携帯可能なオブジェクトの壁に規定されたセキュリティスロットと筐体から延びる係合部材のロッキング部材とを位置合わせするステップであって、係合部材は、筐体に対して延びた位置と縮んだ位置とを有し、係合部材は、延びた位置に偏る、位置合わせするステップと、ロッキング部材をセキュリティスロット内に挿入するステップと、ロッキング部材が携帯可能なオブジェクト内にある間に、セキュリティスロットからロッキング部材をずらして位置合わせするステップと、係合部材に結合された保持部材とセキリュティスロットに近接した壁の一部とを係合して、筐体を一部に移動することによって、縮んだ位置に対して係合部材を移行するステップと、係合部材が縮んだ位置に移行されているときに、係合部材およびセキュリティスロットとピンを共合するステップであって、係合部材が縮んだ位置にある間に、セキリュティスロットとロッキング部材とを再び位置合わせすることが制限される、共合するステップと、ローカライザをローカライザオブジェクトに結合することによって、ローカライザオブジェクトに対して携帯可能なオブジェクトをローカライズするステップとを包含する。
【０００９】
本発明の性質および利点をさらに理解することは、明細書および図面の残りの部分に関する参照によって理解され得る。この図面において、類似した番号をつけられたアイテムは、同じか、機能的に等しい構造を表す。
【００１０】
（特定の実施形態の説明）
図１は、本発明の実施形態の典型的な使用形態を示す。携帯可能コンピュータ５は、スロット１５を提供する壁１０を有する。壁１０は、内部表面２０を含む。ロックインタフェース２５は、スロット１５を通して壁１０と係合可能である。好ましい実施形態に従って、ロッキング機構３０は、ケーブル３５およびロック４０を含む。操作する際は、ユーザは、ロックインタフェース２５をスロット１５内に挿入して、ロックインタフェース２５を内部表面２０と係合させる。一度係合されると、ユーザは、ケーブル３５およびロック４０を有する据え付けのオブジェクトにロックインタフェース２５を連結可能である。
【００１１】
図２は、ロックインタフェース４５を含む本発明の実施形態の斜視図である。スロット１５は、小さな寸法４２と大きな寸法４４とを有する。ロックインタフェース４５は、本体部１０５を有する固着錘体１００を含む。本体部１０５は、開口部１１０、二つの係合部材（係合部材１１５および係合部材１２０）、頸状部１２５、および、ヘッド部１３０を含む。頸状部１２５は、壁１０の厚さを越えた長さを有し、ヘッド部１３０を完全にスロット１５内に挿入することが可能である。好ましい実施形態において、ヘッド部１３０は、好ましくは、スロット１５と類似した形状を有する。ロックインタフェース４５は、また、本体部１４５を有するロッキング錘体１４０を含む。本体部１４５は、開口部１５０、二つの係合部材（係合部材１５５および係合部材１６０）、ならびに、ロッキングピン１６５を含む。
【００１２】
操作の際には、ユーザは、ヘッド部１３０をスロット１５に位置合わせして、ヘッド部１３０をスロット１５内に挿入する。図３は、スロット１５に位置合わせされ、かつ、スロット１５に挿入された本発明の実施形態のヘッド部１３０を示す斜視図である。図４は、スロット１５に挿入され、かつ、スロット１５にずらして位置合わせされた本発明の実施形態におけるヘッド部１３０を示す別の斜視図である。スロット１５とずらして位置合わせされているヘッド部１３０は、ヘッド部１３０を壁１０の内部表面２０に係合させる。これにより、コンピュータ５からロックインタフェース４５を取り外すことを防ぐ。引き続いてロッキングピン１６５をスロット１５内に挿入することによって、ヘッド部１３０がスロット１５に再び位置合わせすることを防ぐ。図５は、内部表面２０とスロット１５内に挿入されたロッキングピン１６５とを係合している本発明の実施形態のヘッド部１３０を示す斜視図である。係合部材１１５を係合部材１６０と係合させる、および、係合部材１２０を係合部材１５５（図示せず）と係合させることによって、固着錘体１００がロッキング錘体１６０と係合される。好ましい実施形態において、頸状部１２５の大きさは、ロッキングピン１６５と共にスロット１５の小さな寸法４２を越えており、スロット１５内へのユニットとしてロッキング錘体１４０および固着錘体１００が回転することを防ぐ。これにより、ヘッド部１３０がスロット１５と再び位置合わせすることを防ぐ。開口部１１０および開口部１５０を通してロッキング機構３０を挿入することは、固着錘体１００のロッキング錘体１４０との係合を維持し、コンピュータ５を据え付けのオブジェクトにロックするために用いられ得る。
【００１３】
図６は、参照として援用された特許文献に開示された実施形態に対する別のインタフェースの実施形態である。ロッキングシステム６００は、筐体６０５、ロッキング部材６１５を有するスロット係合部材６１０、および、保持部材６２０を含む。係合部材６１０は、係合部材が延びた位置と縮んだ位置との間を移動するように筐体６０５に結合される。筐体６０５は、好ましい実施形態では、延びた位置に偏っている。二つのピン６２５は、筐体６０５から延び、係合部材６１０のシャフトに対して反対の位置に位置している。本発明のいくつかの実施形態は、数個以上のピン４２５を含み得る。筐体６０５は、適切な組み合わせコードが従来の様式で入力されるまで、係合部材６１０と相互作用し、かつ、縮んだ位置に係合部材６１０を保持する組み合わせロック機構６３０を含む。スロット係合部材６１０をスロット係合部材６１０の縮んだ位置に保つための機構を保持するように、多くの周知の組み合わせロッキングシステムが、用いられ得る。好ましい実施形態において、（例えば、ケーブルまたは資材管理型デバイスのような）ローカライザ６３５が、筐体６０５に結合される。
【００１４】
ロッキングシステム６００は、セキュリティスロット６６０を規定する壁６５５を有する携帯可能デバイス６５０に対してインタフェースする。セキュリティスロット６６０は、典型的に、本出願の譲受人のうちの一部であるＫｅｎｓｉｎｇｔｏｎ　Ｔｅｃｈｎｏｌｏｇｙ　Ｇｒｏｕｐによって開発かつ普及されたセキュリティスロット規格に一致するスロットである。このセキュリティスロット規格は、ｈｔｔｐ：／／ｗｗｗ．ｋｅｎｓｉｎｇｔｏｎ．ｃｏｍ／ｄｅｖｅｌｏｐｅｒｓ／ｄｅｖ　ｌ１９９．ｈｔｍｌにおいて利用可能であり、本明細書中で全ての目的に対して参照として援用される。セキュリティスロット６６０の好ましい実施形態は、３ｍｍ×７ｍｍである。
【００１５】
ロッキング部材６１５は、セキュリティスロット６６０に対して補完的である。このことは、好ましい実施形態において、ロッキング部材６１５がセキュリティスロット６６０内に挿入する、および、セキュリティスロット６６０から取り出すことが可能な方向を含むことを意味する。最も好ましい実施形態において、ロッキング部材６１５の周囲の寸法は、セキュリティスロット寸法に適合する。
【００１６】
操作する際に、スロット係合部材６１０のロッキング部材６１５は、セキリュティスロット６６０に位置合わせされ、ロッキング部材６１５が壁６５５を通って、携帯可能なデバイス６５０の内部に入ることを可能にする。好ましい実施形態において、セキュリティスロット６６０に近接した壁６５５の一部と係合する前に、ロッキング部材６１５は、所定の深さに対してセキュリティスロット６６０内にエントリ可能である。スロット係合部材６１０は、保持部材６２０と壁６５５との係合前または後に、（例えば、回転によって）ずらして位置合わせされる。このことは、好ましい実施形態において、筐体６０５を回転することによって達成される。他の実施形態において、ずらした位置合わせにおける他の周知の方法が用いられ得る。
【００１７】
一度保持部材６２０が壁６５５と係合すると、筐体６０５がセキュリティスロット６６０へとさらに移動することにより、係合部材６１０は、縮んだ位置へと移動する。係合部材６１０が縮んだ位置へと移動するにつれて、ピン６２５は、係合部材６１０、セキュリティスロット６６０、および、筐体６０５と共合する。好ましい実施形態において、この共合は、筐体６０５からピン６２５を堅く延ばすことにより達成され、筐体６０５に対して係合部材６１０を縮めることによって、ピン６２５は、結果的に、係合部材６１０に近接したセキュリティスロット６６０に入る。好ましい実施に基づいて、ピン６２５は、セキュリティスロット６６０内に単に延び得、または、セキュリティスロット６６０を通って携帯可能なデバイス内に、および、ロッキング部材６１５以上に延び得る。
【００１８】
一度係合部材６１０が縮んで、ピン６２５がセキリュティスロット６６０と共合すると、保持部材６３０は、縮んだ位置にある係合部材６１０を維持する。一方ではピン６２５が上記されたようにセキュリティスロット６６０と共合しているが、係合部材６１０がロッキング部材６１５と共に内部で縮んだ位置にあり、セキュリティスロット６６０とずれて位置合わせされる限り、筐体６０５は、携帯可能なデバイスから取り出すことに強く抵抗する。ローカライザ６３５を携帯可能なデバイスではなくてローカライジングオブジェクトに関連させることによって（ケーブルをローカライジングオブジェクトに連結することによって、または、出口近くに資材管理タグインタフェースを設置することによって）、ローカライザオブジェクトの前もって設定された範囲内に携帯可能なオブジェクトの移動は制限される。
【００１９】
係合部材６１０を放出し、（例えば、適した組み合わせをエントリすることによって）係合部材６１０が延びた位置に移動することを可能にする保持機構４３０を操作することによって、ピン６２５がセキュリティスロット６６０と共合することから解放される。これにより、ロッキング部材６１５がセキリュティスロット６６０に再び位置合わせされ、かつ、セキュリティスロット６６０から取り除かれることが可能となる。ロッキングシステム６００を携帯可能なデバイスに連結することなく、携帯可能なデバイスは、ローカライザオブジェクトから移動され得る。
【００２０】
上記の明細書において、本発明は、本発明の特定の例示的な実施形態の参照と共に記載されている。しかし、特許請求の範囲に説明された本発明のより広い意図および範囲から逸脱することなく、様々な改変および変更が本発明に対してなされ得ることは明らかである。
【００２１】
多くの変更または改変が容易に想定され、例えば、スロットの形状およびヘッド部の形状を変更すること、係合部材に留め金を加えること、ならびに、他の変更と共にフランジの形状を変更することである。従って、この明細書および図面は、制限的な意味というよりは、むしろ例示的な意味において考慮されるべきである。
【図面の簡単な説明】
【図１】
図１は、本発明の実施形態の典型的な使用法である。
【図２】
図２は、本発明の実施形態の斜視図である。
【図３】
図３は、セキュリティスロット内に位置合わせされて、挿入された本発明の実施形態のヘッド部を示す斜視図である。
【図４】
図４は、スロット１５に挿入されて、間違って位置合わせされた本発明の実施形態のヘッド部を示す別の斜視図である。
【図５】
図５は、内部表面２０とスロット１５内に挿入されたロッキングピン１６５とを係合する本発明の実施形態のヘッド部１３０を示す斜視図である。
【図６】
図６は、好ましい物理的セキュリティインタフェースの実施形態である。
【図６】
2004510232.tif 000003
【国際公開パンフレット】
2004510232.tif 000004
2004510232.tif 000005
2004510232.tif 000006
2004510232.tif 000007
2004510232.tif 000008
2004510232.tif 000009
2004510232.tif 000010
2004510232.tif 000011
2004510232.tif 000012
2004510232.tif 000013
2004510232.tif 000014
2004510232.tif 000015
2004510232.tif 000016
2004510232.tif 000017
2004510232.tif 000018
2004510232.tif 000019
【国際調査報告】
2004510232.tif 000020